(57)【要約】【課題】スポーツ履物に防寒機能を施し、利用者で趣味性を有し、提供者側では販売促進に供されることができるようにした、スポーツ履物の被覆用装飾品を提供すること。【解決手段】  滑動部と履部からなるスポーツ履物に対し、その履物の全体に現存する動物や架空の動物、或いは各種乗物の形態をした装飾品を被覆可能にしたスポーツ履物の被覆用装飾品を提供する。【選択図】図７
0003158727.tif 000002
【実用新案登録請求の範囲】
【請求項１】
ローラースケート、アイススケート、インラインスケートの滑動部と履部からなるスポーツ履物に用いる付属品であって、該付属品が前記履部の全体に現存する動物、架空の動物、或いは乗物のいずれかの形態から選ばれた装飾品を装着手段により被覆可能にしたものであるスポーツ履物の被覆用装飾品。
【請求項２】
前記装着手段が、前記装飾品の一部におけるファスナー、面ファスナー、小鉤のいずれかで開閉自在にして前記履部に被覆可能にしたものである請求項１に記載のスポーツ履物の被覆用装飾品。
【請求項３】
前記各種形態の装飾品が自社販売商品を模倣した乗物の形態である請求項１又は２に記載のスポーツ履物の被覆用装飾品。
【請求項４】
前記装飾品の形態である現存する動物が、犬、又は猫の形態をしたものである、請求項１又は２に記載のスポーツ履物の被覆用装飾品。
【請求項５】
前記装飾品の形態である架空の動物が、龍の形態である請求項１又は２に記載のスポーツ履物の被覆用装飾品。
【考案の詳細な説明】
【技術分野】
【０００１】
本考案は、スポーツ履物の被覆用装飾品に関する。
【背景技術】
【０００２】
現在、スポーツ履物としてのアイススケート、ローラースケート、及びインラインスケートは、左右の各足に装着する履部の下に、（１）エッジ付きの金具、（２）前後左右に２つずつある４箇所のローラを、（３）また直線状に４本のローラを有し、これらが氷上、或いは舗道等の硬い構造物上を滑る滑動部として一体に設置したものが広く知られている。
【０００３】
ただ、これらのものは滑走する機能のみで簡素化されているものであり、装飾性について考慮されていない。そのために、特許文献１と２には、ローラスケートやスケートボードに発電機１又はバッテリーＣを取り付け、それらの滑走によって電球２やランプ２を発光させるものが提案されている。
また、スノーボード、スキー、ローラースケート等のスポーツ用具において、底板３、外側フランジ９、内側フランジ１０、後方支承部材２０、あるいは第一の紐部材５０と第二の紐部材５１の部品の少なくとも１つを、絵柄などを施したカバーで覆われたものも公開されている（特許文献３）。
【先行技術文献】
【特許文献】
【０００４】
【特許文献１】実開平２−８８６８６
【特許文献２】実開平３−３９０８１
【特許文献３】登録実用新案第３１１３２８６号
【考案の概要】
【考案が解決しようとする課題】
【０００５】
しかし、前記した特許文献１と２は、ローラスケートやスケートボードに電球やランプを取り付けるといったもので防寒に考慮されず、装飾性に乏しいものであった。
【０００６】
また、特許文献３は、カバー９１，９２，９３で履物の一部を覆うだけのものであり、多少の装飾性はあるものの、履物全体を被覆しているものでなく、防寒に対する構造ではない。
本考案は、前記従来の欠点を解消したもので、その目的とするところは、滑動部と履部からなるスポーツ履物のうち、履部全体を動物や乗物などの装飾品を被覆することにより、利用者側で動物や乗物に乗って走行するような興味感覚でスケートの走行を行い、提供者側では販売促進に供する品物として動物園や自動車の広告宣伝を果たすことができるようにした、防寒機能を有するスポーツ履物の被覆用装飾品を提供することにある。
【課題を解決するための手段】
【０００７】
本考案は、前記課題を解決したものであり、その要旨は、ローラースケート、アイススケート、インラインスケートの滑動部と履部からなるスポーツ履物に用いる付属品であって、該付属品が前記履部の全体に現存する動物、架空の動物、或いは乗物のいずれかの形態から選ばれた装飾品を装着手段により被覆可能にしたものであるスポーツ履物の被覆用装飾品にある。
前記構成により、履部全体を装飾品で覆うために、耐寒性が向上してスケートの走行中に保温性があり、しかも可愛らしいためテーマパークや動物園、あるいは自動車などの乗物の宣伝広告にも利用することができる。
本考案の装着手段は、装飾品の前部、後部、上部の一以上を開閉自在にして、各種スポーツ用具の靴である履部を脱着自在に被覆可能にしている。
また、前記装飾品の形態は、自社商品を模倣した乗物や、犬、猫、あるいは河童や龍など現存するか、又は架空の動物を用い、販売店や各種テーマパークやレジャーランドにおける商品の販売促進用として利用できる。
【考案の効果】
【０００８】
各種のスポーツ履物は、疾走して風を切るが、本考案のスポーツ履物の被覆用装飾品によれば、履部全体を装飾品で被覆しているために防寒機能を発揮する。また、履部全体に動物や乗物などの装飾品を被覆することで、従来品に較べてデザイン性に優れ、走行時が快適で、形態によっては車等の広告対象商品の宣伝にもなる。
【図面の簡単な説明】
【０００９】
【図１】本考案であるスポーツ履物の被覆用装飾品としてのチワワの斜視図である。
【図２】図１の平面図である。
【図３】図１の正面図である。
【図４】図２の後方を開いて履部に取り付ける前の平面図である。
【図５】図４の状態の背面図である。
【図６】図１の装飾品と足に装着したインラインスケートの右側面図である。
【図７】図６の装飾品をインラインスケートに装着した状態の側面図である。
【図８】装飾品をサメにした斜視図である。
【図９】図８の平面図である。
【図１０】図９の装飾品の後方を開いて履部に取り付ける前の平面図である。
【図１１】図８の装飾品と足に装着したローラスケートの斜視図である。
【図１２】図８の装飾品をローラスケートに装着した状態の斜視図である。
【図１３】装飾品を龍にした斜視図である。
【図１４】図１３の平面図である。
【図１５】図１４の装飾品の後方を開いて履部に取り付ける前の平面図である。
【図１６】図１３の装飾品と足に装着したアイススケートの斜視図である。
【図１７】図１３の装飾品を足に装着したアイススケートの斜視図である。
【考案を実施するための形態】
【００１０】
本考案は、各種スケートの滑動部と履部からなる通常のスポーツ履物に用いる付属品であって、その付属品が現存する動物や架空の動物、或いは各種形態の乗物を表した装飾品であり、その装飾品の一部に履部を被覆するためのファスナー、面ファスナー、小鉤を設け、これらにより履部を被覆して装着するようにしている。  
なお、本考案は、下記の実施例の形態の装飾品に限定されることなく、本考案の  趣旨に反しない構造におけるスポーツ履物の被覆用装飾品が含まれる。
【実施例】
【００１１】
[実施例１]
図１乃至図５は、装飾品Ａとして現存する動物の一つである多数の毛で覆われたチワワＡの形態をしたもので、その中央部にはインラインスケート１の４本の直線状のローラの滑動部２上にある靴としての履部３が入る形をした貫通孔４を設けている。
また、装飾品Ａの後方には、履部３を挿し入れ、挿入後に閉じるように、開閉可能にした貫通孔４と連通する切り込み５に面ファスナー６を縫着している。
そして、この装飾品Ａをインラインスケート１の履部３に装着するには、図６に示すように切り込み５を開いて、貫通孔４に足を入れた履部３を挿入し、最後に面ファスナー６を合着して図７の状態で使用する。装飾品Ａを履部３から取り外すには、上記の逆の手順により行う。
【００１２】
[実施例２]
図８乃至図１０は、装飾品を現存する動物であるサメの形態Ｂにしたものであり、スポーツ履物としてのローラスケート１１における履部１３とその下に滑動部１２としての前後２個ずつのローラーが一体に設置している。
そして、装飾品Ｂの中央部には、履部１３を入れる貫通孔１４を設け、その貫通孔１４を装飾品Ｂの後方の切り込み１５を開いて、その開いた切り込み１５の両側に設けた面ファスナー１６で履部１３を挿着し、逆に面ファスナー１６を引き離して履部１３から装飾品Ｂを取り外すようにしている（図１１、図１２）。
【００１３】
[実施例３]
図１３乃至図１５は、装飾品を架空の動物である龍の形態Ｃにしたものであり、スポーツ履物としてのアイススケート２１において履部２３と滑動部２２としてのエッジ付きの金具の上に、靴としての履部２３が一体に固定している。
また、装飾品Ｃの中央部には、履部２３を入れる貫通孔２４を設け、その貫通孔２４を装飾品Ｃの後方の切り込み２５を開いて、その開いた切り込み２５の両側に設けた面ファスナー２６で履部２３を挿着し、逆に面ファスナー２６を引き離して履部２３から装飾品Ｃを取り外すようにしている（図１６、図１７）。
【００１４】
なお、上記各実施例において、装飾品を履部に装着する手段を面ファスナーで説明したが、これに限られず、両面を接合するファスナー、小鉤等によっても代替できる。
【産業上の利用可能性】
【００１５】
本考案は、ローラースケート、アイススケート、インラインスケートなどのスポーツ履物に用いる付属品であって、その付属品の装飾品に関するものである。
【符号の説明】
【００１６】
Ａ，Ｂ，Ｃ  装飾品
１  インラインスケート
１１  ローラースケート
２１  アイススケート
２，１２，２２  滑動部
３，１３，２３  履部
４，１４，２４  貫通孔
５，１５，２５  切り込み
６，１６，２６  面ファスナー
【図１】
0003158727.tif 000003
【図２】
0003158727.tif 000004
【図３】
0003158727.tif 000005
【図４】
0003158727.tif 000006
【図５】
0003158727.tif 000007
【図６】
0003158727.tif 000008
【図７】
0003158727.tif 000009
【図８】
0003158727.tif 000010
【図９】
0003158727.tif 000011
【図１０】
0003158727.tif 000012
【図１１】
0003158727.tif 000013
【図１２】
0003158727.tif 000014
【図１３】
0003158727.tif 000015
【図１４】
0003158727.tif 000016
【図１５】
0003158727.tif 000017
【図１６】
0003158727.tif 000018
【図１７】
0003158727.tif 000019